(57)【要約】【課題】使用者に不快感を与えない姿勢保持具を提供すること【解決手段】クッション材と、前記クッション材を収容するカバーと、前記クッション材と前記カバーとの間に配される保温具と、を備える【選択図】図１
2014226496.tif 000002
【特許請求の範囲】
【請求項１】
クッション材と、
前記クッション材を収容するカバーと、
前記クッション材と前記カバーとの間に配される保温具と、を備える姿勢保持具。
【請求項２】
前記クッション材は透水性を有する請求項１に記載の姿勢保持具。
【請求項３】
前記クッション材は少なくとも２層のクッション材層から構成され、各クッション材層はクッション材層毎に太さの異なる繊維材を主として構成される請求項１又は請求項２に記載の姿勢保持具。
【請求項４】
前記保温具は太さの細い繊維材を主として構成されるクッション材層と前記カバーとの間に配される請求項３に記載の姿勢保持具。
【請求項５】
前記カバーは前記クッション材及び前記保温具を出し入れする開口を開閉可能な開閉手段を備え、前記開閉手段は前記カバーの前記保温具に対応する位置の周辺に設けない請求項１〜請求項４のいずれか１項に記載の姿勢保持具。
【請求項６】
前記カバーは前記クッション材と略同形に形成されて前記開口を有する第１のカバーと、前記開口を覆う平板状の第２のカバーと、を備え、前記開閉手段は第１のカバーと第２のカバーとを開閉可能である請求項５に記載の姿勢保持具。
【発明の詳細な説明】
【技術分野】
【０００１】
本発明は、保温効果を備える姿勢保持具に関する。
【背景技術】
【０００２】
従来より自力での入浴が困難或いは不可能な者をストレッチャー等に仰臥させたまま入浴させる際に、入浴者（以下の説明で「入浴者」を「被介護者」或いは「使用者」と称することもある。）の姿勢を所定の姿勢で保持する用具として非特許文献１に示すようなポジショナーが使用される。
【０００３】
非特許文献１に示すポジショナーは入浴時に使用されるものであり、また、複数人の被介護者を連続して入浴させる際に連続使用可能となるように防水加工が施されて姿勢保持具自体が水を吸わない構成となっている。
【先行技術文献】
【非特許文献】
【０００４】
【非特許文献１】オージー技研株式会社、“総合カタログ２０１２−２０１３  福祉施設様向け”[online]、２０１２年５月８日、[２０１３年４月１９日検索]、インターネット（ＵＲＬ: http://www.og-giken.co.jp/DigitalCatalog/General/GeneralCatalog#W/#page=31）
【発明の概要】
【発明が解決しようとする課題】
【０００５】
非特許文献１のポジショナーは防水加工が施されているもののポジショナーの表面に水滴が付着することは防げない。この水滴は浴槽内の水であるため付着時には４０℃前後の湯水であるが、ポジショナーが浴槽から引き上げられて入浴者の交代作業を行っている間に冷めてしまう。従って、二人目以降の入浴者は入浴前に表面が冷たいポジショナーに接することになり、不快感を与える可能性がある。
【０００６】
本発明は上述した問題点に鑑み、使用者に不快感を与えない姿勢保持具を提供することを目的とする。
【課題を解決するための手段】
【０００７】
上記目的を達成するために本発明の姿勢保持具は、クッション材と、前記クッション材を収容するカバーと、前記クッション材と前記カバーとの間に配される保温具と、を備えることを特徴とする。
【０００８】
また上記構成の姿勢保持具において、前記クッション材は透水性を有することが望ましい。
【０００９】
また上記構成の姿勢保持具において、前記クッション材は少なくとも２層のクッション材層から構成され、各クッション材層はクッション材層毎に太さの異なる繊維材を主として構成されることが望ましい。
【００１０】
また上記構成の姿勢保持具において、前記保温具は太さの細い繊維材を主として構成されるクッション材層と前記カバーとの間に配されることが望ましい。
【００１１】
また上記構成の姿勢保持具において、前記カバーは前記クッション材及び前記保温具を出し入れする開口を開閉可能な開閉手段を備え、前記開閉手段は前記カバーの前記保温具に対応する位置の周辺に設けないことが望ましい。
【００１２】
また上記構成の姿勢保持具において、前記カバーは前記クッション材と略同形に形成されて前記開口を有する第１のカバーと、前記開口を覆う平板状の第２のカバーと、を備え、前記開閉手段は第１のカバーと第２のカバーとを開閉可能であることが望ましい。
【発明の効果】
【００１３】
姿勢保持具が保温具を備えているので姿勢保持具に接触した使用者が感じる冷たさを軽減することができ、不快感を与えることがない。
【図面の簡単な説明】
【００１４】
【図１】一実施形態の姿勢保持具を示す斜視図
【図２】一実施形態の姿勢保持具を示す平面図
【図３】一実施形態の姿勢保持具を示す背面図
【図４】一実施形態の姿勢保持具を示す側面図
【図５】一実施形態の姿勢保持具を示す側面断面図
【図６】クッション材層の積層構成を示す図
【図７】開閉手段が開状態の姿勢保持具を示す斜視図
【図８】他の例の姿勢保持具を示す斜視図
【図９】他の例の姿勢保持具を示す側面断面図
【発明を実施するための形態】
【００１５】
以下に本発明の一実施形態の姿勢保持具について図面を参照して説明する。なお、以下に示す実施形態は、本発明の技術的思想を具体化するために姿勢保持具の一例を示すものであって、本発明の姿勢保持具を以下の姿勢保持具に特定することを意図するものではなく、特許請求の範囲に含まれるその他の実施形態の姿勢保持具にも等しく適応し得るものである。
【００１６】
図１〜図４は夫々本実施形態の姿勢保持具の外観を示す斜視図、平面図、背面図、側面図である。図５は本実施形態の姿勢保持具の側面断面図である。図６はクッション材層の積層構造を示す図である。図７は開閉手段が開状態の姿勢保持具を示す斜視図である。姿勢保持具１は例えば椅子に座る被介護者の体の角度を一定の角度で保持する用途で使用される。具体的な使用例としては背中が曲がっている被介護者と椅子の背もたれとの隙間を埋めて安定して座らせることがある。また、姿勢保持具１は例えばストレッチャーやベッドなどに仰臥する被介護者の体の角度を一定の角度で保持する用途で使用される。具体的な使用例としては入浴者の体を一定の角度で保持して洗いやすくしたり、褥瘡を患う被介護者の患部がベッドやストレッチャーに接触しないような姿勢で保持したりすることがある。
【００１７】
姿勢保持具１は略直角三角柱状に形成される。姿勢保持具１はクッション材２、クッション材２を収容するカバー３、及び、クッション材２とカバー３の間に配される保温具４を備える。
【００１８】
クッション材２は繊維材が三次元状に絡み合って構成される透水性を有する構造体である。クッション材２は主として細い繊維材である第１の繊維材から構成される第１のクッション材層２１と主として第１の繊維材よりも太い第２の繊維材から構成される第２のクッション材層２２を有する。
【００１９】
被介護者の姿勢を保持するためには弾力性を有するクッション材にする必要がある。そこで第２のクッション材層２２は太い繊維材である第２の繊維材により構成することで弾力性及び耐久力を確保している。一方で本実施形態の姿勢保持具１は自力で体の姿勢を変えたり、姿勢保持具１の位置を動かしたりすることが困難或いは不可能な者に使用されることが想定される。従って、介護者が被介護者のどの部分に姿勢保持具１を当てたとしても痛さを感じることがないように弾力性及び耐久性と共に柔軟性が必要となる。そこで細い繊維材である第１の繊維材から構成される第１のクッション材層２１を第２のクッション材層２２の上方に配して被介護者の背中が第１のクッション材層２１に接触するように構成する。これによりクッション材２は被介護者の姿勢を保持する弾力性を有すると共に被介護者に対して不快感を与えないクッション材となる。
【００２０】
第１の繊維材と第２の繊維材の素材及び太さは特に限られるものではないが、本実施形態では第１の繊維材及び第２の繊維材の素材として弾力性のあるポリエステル繊維材を用いており、各繊維材の太さは第１の繊維材の太さが０．３〜０．４ｍｍ、第２の繊維材の太さが０．８〜１．０ｍｍ程度である。
【００２１】
なお、本実施形態では略直角三角柱状に形成した第２のクッション材層２２の上面に鈍角を有する三角形を底面とする三角柱状に形成した第１のクッション材層２１を接着剤で貼付することによりクッション材２全体の形状を略直角三角柱状に形成しているが、各クッション材層の形状はこれに限られるものではなく適宜変更することとしてもよい
【００２２】
また、クッション材２及び各クッション材層は複数の層から構成されることとしてもよく、例えばクッション材２は３層のクッション材層から構成され、各クッション材層が夫々太さの異なる繊維材を主と構成されることとしてもよい。また、図６に示すように第２のクッション材層２２が略台形柱状に形成した下側クッション材層２２１と下側クッション材層２２１の上方に貼付される略直角三角柱状に形成した上側クッション材層２２２とから構成されることとしてもよい。
【００２３】
クッション材２における第１のクッション材層２１と第２のクッション材層２２の占める割合は反発力を確保するために第２のクッション材層２２のほうが多くなるように形成される。具体的に例示すれば図６に示すクッション材２において第１のクッション材層２１の最も高い部分の高さＨ１は２ｃｍ、傾斜辺の長さＬ１は２４ｃｍに形成される。また
、第２のクッション材層２２の高さＨ２は１１ｃｍ、奥行Ｄ１は２１ｃｍに形成される。さらに、クッション材層２の横幅Ｄ２（図２、図３参照）は３４ｃｍに形成される。
【００２４】
つまり、第１のクッション材層２１の底面である三角形ＯＰＱの面積と第２のクッション材層２２の底面である三角形ＱＰＲの面積の比は２：１１である。また、横幅方向の長さは同一の長さ（横幅Ｄ２）に形成されるので、第１のクッション材層２１と第２のクッション材層の体積比も２：１１となり、クッション材層２において第２のクッション材層２２が占める割合が第１のクッション材層２１が占める割合よりも大きい。
【００２５】
カバー３はクッション材２と略同形に形成される袋部材である。本実施形態のカバー３はクッション材２及び保温具４を出し入れするための開口３ａを有してクッション材２と略同形に形成される第１のカバー３１と、開口３ａを覆う平面状の第２のカバー３２から構成される。第１のカバー３１と第２のカバー３２の縁部には線ファスナー５が取り付けられて線ファスナー５が閉められることで第２のカバー３２が開口３ａを蓋し、線ファスナー５が開けられることで開口３ａが開放される。つまり線ファスナー５は開口３ａを第２のカバー３２によって開閉するための開閉手段を構成する。
【００２６】
線ファスナー５はカバー３の底面（姿勢保持具１において被介護者が接触する面とは反対側の面）であって、前辺（姿勢保持具１において被介護者が接触する下端の辺）以外の三辺（３ｂ、３ｃ、３ｄ。なお、各図において側辺３ｃは図示していないがカバー３において側辺３ｂと横幅方向（図７に示す矢印Ａ方向）に対向する辺である）に沿って略コ字状に設けられる。また、線ファスナー５において側辺３ｂ及び３ｃに沿って設けられる部分は側辺３ｂ、３ｃの前端よりもやや後方（図７の点Ｓ）から底面の後辺３ｄに向かって設けられる。当該構成により被介護者が姿勢保持具１を使用する際に金具である線ファスナー５が被介護者の背中にあたることによる不快感の発生を防止することができる。
【００２７】
また、線ファスナー５の位置を上述したようにカバー３の底面の前辺以外の辺に沿って設けることで、クッション材２及び保温具４の出し入れが行いやすくなる。
【００２８】
なお、線ファスナー５を設ける位置はこれに限られるものではなく被介護者に不快感を与えない範囲に設けることとすればよい。被介護者はクッション材２の上面（傾斜面）上に配される保温具４に対応する位置に接触するため、カバー３において保温具４に対応する位置の周辺に設けないこととすればよい。
【００２９】
本実施形態では開口３ａを開閉可能な開閉手段を線ファスナー５としたが開閉手段はこれに限られるものではない。例えば、スナップボタン等で構成される点ファスナーとしてもよいし、面的に着脱可能な面ファスナーとしてもよい。
【００３０】
カバー３の素材は特に限られるものではないが、複数人に連続して使用されることを考慮して抗菌性、抗ウイルス性、臭いを抑制する機能を有する素材から構成することが望ましい。
【００３１】
保温具４は蓄熱材と蓄熱材を包容し耐熱性を有する材質からなる扁平な袋体とから構成される。蓄熱材としては顕熱や潜熱を蓄える物質であればよく、常温における状態が固体・気体・液体のいずれであってもよい。本実施形態の保温具４は蓄熱材として、酢酸ナトリウム水溶液を主成分とする蓄熱材が使用される。酢酸ナトリウム水溶液を主成分とする蓄熱材は例えば室温２０℃の環境下で４０℃の湯に１０分浸けておくことで、３０℃程度の温度を１０分程度維持することが可能である。
【００３２】
従って一人目の被介護者を入浴させた後に一人目の被介護者をストレッチャーから移動させ、二人目の被介護者をストレッチャーに仰臥させるまでの時間、蓄熱材は３０℃程度の温度を維持しているので、二人目の被介護者が姿勢保持具１に接触した際に感じる冷たさが軽減される。また、保温具４はクッション材２の上面に配されるものであって、クッション材２の上面の大きさは上述したように３４ｃｍ×２４ｃｍであるため、蓄熱材を包容する袋体を同程度の大きさ（厚さは１ｃｍ程度）として酢酸ナトリウム水溶液を主成分とする蓄熱材を注入すると保温具４の重量は３５０ｇ程度となる。
【００３３】
クッション材２は透水性を有して繊維材から構成される軽いものであり、クッション材２単独では水に沈みにくいが、クッション材２の上面に約３５０ｇの保温具４が配されることにより水に沈むため入浴時に使用される姿勢保持具として好適に使用可能である。また、姿勢保持具１全体の重量としても１ｋｇ未満に抑えることができるため、介護者は被介護者の体型等に応じて容易に姿勢保持具１の位置を調整することが可能になる。
【００３４】
なお、本実施形態では姿勢保持具１が入浴時に使用されることとして、湯温を利用した蓄熱材を有する保温具４とした。これにより被介護者を入浴させながら蓄熱材の温度を上昇させることができるので手間がかからず効率がよい。しかしながら蓄熱材としては湯温を利用して温度を上昇させるもの以外の蓄熱材を使用してもよい。例えば無極性分子からなるパラフィンに乳化剤を混合してゲル化した蓄熱材は電子レンジにより数分加熱することで温度が上昇して長時間の保温が可能となる。当該保温具４によれば湯に浸けることなく電子レンジにより人の体温程度の温度に温めることができ、一人目の被介護者が使用するときから温かい。従って冬場など室内環境下の温度が低い環境において入浴前から被介護者の体を温めることができる。
【００３５】
本実施形態によれば、姿勢保持具が保温具を備えているので姿勢保持具に接触した被介護者が感じる冷たさを軽減することができ、不快感を与えることがない。
【００３６】
また、クッション材は透水性を有するので、入浴時に好適に使用可能である。また、水を吸って重くなることがない。
【００３７】
また、クッション材はクッション材は少なくとも２層のクッション材層から構成され、各クッション材層はクッション材層毎に太さの異なる繊維材を主として構成される。太さの太い繊維材を主として構成されるクッション材層は弾力性及び耐久性を有し、太さの細い繊維材を主として構成されるクッション材層は柔軟性を有する。従って弾力性及び耐久性を有して姿勢保持具として好適に使用できる上に、柔軟性により被介護者に柔らかさを感じさせることができるので被介護者に不快感を与えることがない。
【００３８】
また、保温具は太さの細い繊維材を主として構成されるクッション材層とカバーとの間に配されるので、被介護者に対して温かさをより直接的に感じさせることができる。
【００３９】
また、カバーはクッション材及び保温具を出し入れする開口を開閉可能な開閉手段を有しており、その開閉手段がカバーの保温具に対応する位置の周辺に設けられないので、被介護者が開閉手段に接触することが防がれるので被介護者に不快感を与えることがない。
【００４０】
また、カバーはクッション材と略同形に形成されて開口を有する第１のカバーと、開口を覆う平板状の第２のカバーと、を備えている。第１のカバーをクッション材と略同形でとすることで特にクッション材（及び保温具）を第１のカバー内に収容する際にクッション材がしっかりと第１のカバー内に嵌るので収容しやすい。
【００４１】
＜補足＞
上記実施形態で姿勢保持具１の形状を略直角三角柱状としたが、姿勢保持具１の形状はこれに限られるものではなく、傾斜面を有する立体形状であればよい。例えば、直角を有しない三角形を底面とする三角柱状であってもよいし、図８に示すように略台形柱状であってもよい。すなわち人の背中は脊柱（背骨）部分が最も突出して側方（横腹方向）に向かって傾斜する形状を有している。また、脊椎は頸椎、胸椎、腰椎、仙椎、尾椎からなるが、このうち脊椎の中で大きな割合を占める胸椎は後彎に相当するカーブを有している。また高齢者は胸椎が生理的な曲がりよりも大きく曲がった、いわゆる円背の人が多く、背中の中央部が最も突出して上方（首方向）に向かって傾斜する形状を有していることが多い。従って、姿勢保持具１が傾斜面を有する立体形状であれば被介護者の負担を最小限に留めた上で被介護者の姿勢を保持することが可能となる。
【００４２】
この場合クッション材２を構成する第１のクッション材層２１と第２のクッション材層２２は例えば図９に示すように、略直角三角柱状に形成した第２のクッション材層２２の上面に平行四辺形を底面とする角柱状に形成した第１のクッション材層２１を接着剤で貼付することによりクッション材２全体の形状を略台形柱状に形成する。
【産業上の利用可能性】
【００４３】
本発明は、姿勢保持具に利用できる。
【符号の説明】
【００４４】
１    姿勢保持具
２    クッション材
３    カバー
４    保温具
５    線ファスナー
【図１】
2014226496.tif 000003
【図２】
2014226496.tif 000004
【図３】
2014226496.tif 000005
【図４】
2014226496.tif 000006
【図５】
2014226496.tif 000007
【図６】
2014226496.tif 000008
【図７】
2014226496.tif 000009
【図８】
2014226496.tif 000010
【図９】
2014226496.tif 000011